(57)【要約】【課題】形状パターンデータの一部を変更するだけで形状パターンデータの全てのデータ項目について変更することができ、作業者の負担を軽減する。【解決手段】複数の穴かがり形状パターンデータを記憶する形状データ記憶手段３２と、所望する穴かがり形状パターンを設定する形状パターン設定手段Ｂ１〜Ｂ８と、穴かがり形状パターンに対応する穴かがり形状パターンデータに基づいて穴かがり縫い目を形成する穴かがりミシン１であって、穴かがり縫い目を形成する縫製領域を設定する縫製領域設定手段Ｂ１５と、穴かがり形状パターンデータを、設定された縫製領域に応じて拡大又は縮小により補正する形状データ補正手段３０と、この形状データ補正手段３０により補正された穴かがり形状パターンデータに基づいて穴かがり縫い目を形成させる制御手段３０と、を備えた。【選択図】図１
2006109921.tif 000002
【特許請求の範囲】
【請求項１】
複数の穴かがり形状パターンデータを記憶する形状データ記憶手段と、この形状データ記憶手段に記憶された穴かがり形状パターンデータに基づく穴かがり形状パターンから所望する穴かがり形状パターンを設定する形状パターン設定手段と、この形状パターン設定手段により設定された穴かがり形状パターンに対応する穴かがり形状パターンデータに基づいて穴かがり縫い目を形成する穴かがりミシンであって、
穴かがり縫い目を形成する縫製領域を設定する縫製領域設定手段と、
前記形状データ記憶手段に記憶された穴かがり形状パターンデータを、前記縫製領域設定手段により設定された縫製領域に応じて拡大又は縮小により補正する形状データ補正手段と、
この形状データ補正手段により補正された穴かがり形状パターンデータに基づいて穴かがり縫い目を形成させる制御手段と、
を備えることを特徴とする穴かがりミシン。
【請求項２】
複数の穴かがり形状パターンデータを記憶する形状データ記憶手段と、この形状データ記憶手段に記憶された穴かがり形状パターンデータに基づく穴かがり形状パターンから所望する穴かがり形状パターンを設定する形状パターン設定手段と、この形状パターン設定手段により設定された穴かがり形状パターンに対応する穴かがり形状パターンデータに基づいて穴かがり縫い目を形成する穴かがりミシンであって、
穴かがり縫い目の形成時に布地を押さえる複数の押えのサイズデータを記憶するサイズデータ記憶手段と、
このサイズデータ記憶手段に記憶されたサイズデータに基づく押えのサイズから所望する押えのサイズを設定する押えサイズ設定手段と、
前記形状データ記憶手段に記憶された穴かがり形状パターンデータを、前記押えサイズ設定手段により設定された押えのサイズに応じて拡大又は縮小により補正する形状データ補正手段と、
この形状データ補正手段により補正された穴かがり形状パターンデータに基づいて穴かがり縫い目を形成させる制御手段と、
を備えることを特徴とする穴かがりミシン。
【請求項３】
複数の穴かがり形状パターンデータを記憶する形状データ記憶手段と、この形状データ記憶手段に記憶された穴かがり形状パターンデータに基づく穴かがり形状パターンから所望する穴かがり形状パターンを設定する形状パターン設定手段と、この形状パターン設定手段により設定された穴かがり形状パターンに対応する穴かがり形状パターンデータに基づいて穴かがり縫い目を形成する穴かがりミシンであって、
布切りメスにより切り込みが形成される布地の布切り長さを設定する布切り長さ設定手段と、
前記形状データ記憶手段に記憶された穴かがり形状パターンデータを、前記布切り長さ設定手段により設定された布切り長さに応じて拡大又は縮小により補正する形状データ補正手段と、
この形状データ補正手段により補正された穴かがり形状パターンデータに基づいて穴かがり縫い目を形成させる制御手段と、
を備えることを特徴とする穴かがりミシン。
【請求項４】
前記布切りメスのサイズを設定するメスサイズ設定手段を備え、
前記制御手段は、前記形状データ補正手段により補正された穴かがり形状パターンデータと前記メスサイズ設定手段により設定された前記布切りメスのサイズとに基づいて穴かがり縫い目を形成させることを特徴とする請求項３に記載の穴かがりミシン。
【請求項５】
前記穴かがり形状パターンデータを外部からの入力に基づいて、拡大又は縮小により補正する入力補正手段と、
前記形状データ補正手段と前記入力補正手段のうち、いずれによって前記穴かがり形状パターンデータを拡大又は縮小により補正をするかを選択する選択手段と、
を備えることを特徴とする請求項１〜４のいずれか一項に記載の穴かがりミシン。
【発明の詳細な説明】
【技術分野】
【０００１】
本発明は、穴かがりミシンに関する。
【背景技術】
【０００２】
縫製物に対してボタン穴を形成するとともに、その周囲に穴かがり縫い目を形成する穴かがりミシンが知られている（例えば、特許文献１参照。）。
穴かがり縫い目はボタン穴の左右両側に形成される平行部、ボタン穴の上部に形成される第一閂止め部、ボタン穴の下部に形成される第二閂止め部から構成されている。そして、第一閂止め部及び第二閂止め部の閂止め形状としては、例えば、角型、放射型、半月型等の種々の形状が存在し、これら閂止め形状を組み合わせたものが穴かがり縫い目の形状パターンとしてメモリ等に記憶されている。そして、作業者が操作パネルを介して選択した形状パターンに基づいた穴かがり縫い目が形成される。
ところで、穴かがりミシンには、出荷時にサービスパターンとして登録される標準的なパターンデータや、新規の形状パターン作成時に登録される個々の形状に対する標準的なデータが記憶されている。これらの形状パターンデータは、標準出荷状態の穴かがりミシンに取り付けられる押えや布切りメス等の部品のサイズに対してサイズオーバーエラーが発生しないような小さい寸法とされている。
【特許文献１】特開２００１−１６２０７０号公報
【発明の開示】
【発明が解決しようとする課題】
【０００３】
ところで、大きな穴かがり縫い目を形成したい場合、布切り長さの変更とともにボタン穴かがりをバランスよく見せるために、かがり幅や閂止め長さ等の形状パターンデータも変更する必要がある。
しかし、近年、縫製可能な穴かがり縫い目の形状パターンの増加により、形状パターンデータは細分化され、設定すべきデータ項目が多くなっているため、形状パターンデータの変更の頻度も多くなり、作業者がその都度全てのデータ項目について変更することは作業効率の低下を招いていた。
【０００４】
そこで、本発明は、上記課題を解決するためになされたものであり、形状パターンデータの変更に際し、形状パターンデータの一部を変更するだけで形状パターンデータの全てのデータ項目について変更することができ、作業者の負担を軽減することができる穴かがりミシンを提供することを目的とする。
【課題を解決するための手段】
【０００５】
以上の課題を解決するため、請求項１に記載の発明は、複数の穴かがり形状パターンデータを記憶する形状データ記憶手段（メモリ３２）と、この形状データ記憶手段（メモリ３２）に記憶された穴かがり形状パターンデータに基づく穴かがり形状パターンから所望する穴かがり形状パターンを設定する形状パターン設定手段（形状パターン設定ボタンＢ１〜Ｂ８）と、この形状パターン設定手段（形状パターン設定ボタンＢ１〜Ｂ８）により設定された穴かがり形状パターンに対応する穴かがり形状パターンデータに基づいて穴かがり縫い目を形成する穴かがりミシン（１）であって、穴かがり縫い目を形成する縫製領域を設定する縫製領域設定手段（区分ボタンＢ１５）と、前記形状データ記憶手段（メモリ３２）に記憶された穴かがり形状パターンデータを、前記縫製領域設定手段（区分ボタンＢ１５）により設定された縫製領域に応じて拡大又は縮小により補正する形状データ補正手段（制御部３０）と、この形状データ補正手段（制御部３０）により補正された穴かがり形状パターンデータに基づいて穴かがり縫い目を形成させる制御手段（制御部３０）と、を備えることを特徴とする。
【０００６】
請求項１に記載の発明によれば、形状パターン設定手段により、形状データ記憶手段に記憶された穴かがり形状パターンデータに基づく穴かがり形状パターンから所望する穴かがり形状パターンを設定し、縫製領域設定手段により穴かがり縫い目を形成する縫製領域を設定すると、形状データ補正手段が形状データ記憶手段に記憶された穴かがり形状パターンデータを、縫製領域設定手段により設定された縫製領域に応じて拡大又は縮小により補正する。そして、制御手段が形状データ補正手段により補正された穴かがり形状パターンデータに基づいて穴かがり縫い目を形成させる。
これにより、作業者は、穴かがり縫い目を形成する縫製領域を設定するだけで、その縫製領域に見合った穴かがり形状パターンデータの細部のデータ項目まで補正することができるので、穴かがり形状パターンデータの補正に際し、穴かがり形状パターンデータの一部を補正するだけで穴かがり形状パターンデータの全てのデータ項目についても補正することができることとなり、作業者の負担を軽減することができる。
【０００７】
請求項２に記載の発明は、複数の穴かがり形状パターンデータを記憶する形状データ記憶手段（メモリ３２）と、この形状データ記憶手段（メモリ３２）に記憶された穴かがり形状パターンデータに基づく穴かがり形状パターンから所望する穴かがり形状パターンを設定する形状パターン設定手段（形状パターン設定ボタンＢ１〜Ｂ８）と、この形状パターン設定手段（形状パターン設定ボタンＢ１〜Ｂ８）により設定された穴かがり形状パターンに対応する穴かがり形状パターンデータに基づいて穴かがり縫い目を形成する穴かがりミシン（１）であって、穴かがり縫い目の形成時に布地を押さえる複数の押え（布押え７）のサイズデータを記憶するサイズデータ記憶手段（メモリ３２）と、このサイズデータ記憶手段（メモリ３２）に記憶されたサイズデータに基づく押え（布押え７）のサイズから所望する押え（布押え７）のサイズを設定する押えサイズ設定手段（区分ボタンＢ１１〜Ｂ１４）と、前記形状データ記憶手段（メモリ３２）に記憶された穴かがり形状パターンデータを、前記押えサイズ設定手段（区分ボタンＢ１１〜Ｂ１４）により設定された押え（布押え７）のサイズに応じて拡大又は縮小により補正する形状データ補正手段（制御部３０）と、この形状データ補正手段（制御部３０）により補正された穴かがり形状パターンデータに基づいて穴かがり縫い目を形成させる制御手段（制御部３０）と、を備えることを特徴とする。
【０００８】
請求項２に記載の発明によれば、形状パターン設定手段により、形状データ記憶手段に記憶された穴かがり形状パターンデータに基づく穴かがり形状パターンから所望する穴かがり形状パターンを設定し、押えサイズ設定手段により穴かがり縫い目の形成に用いる押えのサイズを設定すると、形状データ補正手段が形状データ記憶手段に記憶された穴かがり形状パターンデータを、押えサイズ設定手段により設定された押えのサイズに応じて拡大又は縮小により補正する。そして、制御手段が形状データ補正手段により補正された穴かがり形状パターンデータに基づいて穴かがり縫い目を形成させる。
これにより、作業者は、穴かがり縫い目の形成に用いる押えのサイズを設定するだけで、その押えのサイズに見合った穴かがり形状パターンデータの細部のデータ項目まで補正することができるので、穴かがり形状パターンデータの補正に際し、穴かがり形状パターンデータの一部を補正するだけで穴かがり形状パターンデータの全てのデータ項目についても補正することができることとなり、作業者の負担を軽減することができる。
【０００９】
請求項３に記載の発明は、複数の穴かがり形状パターンデータを記憶する形状データ記憶手段（メモリ３２）と、この形状データ記憶手段（メモリ３２）に記憶された穴かがり形状パターンデータに基づく穴かがり形状パターンから所望する穴かがり形状パターンを設定する形状パターン設定手段（形状パターン設定ボタンＢ１〜Ｂ８）と、この形状パターン設定手段（形状パターン設定ボタンＢ１〜Ｂ８）により設定された穴かがり形状パターンに対応する穴かがり形状パターンデータに基づいて穴かがり縫い目を形成する穴かがりミシン（１）であって、布切りメス（１１）により切り込みが形成される布地の布切り長さを設定する布切り長さ設定手段（サイズ入力ボタンＢ１７）と、前記形状データ記憶手段（メモリ３２）に記憶された穴かがり形状パターンデータを、前記布切り長さ設定手段（サイズ入力ボタンＢ１７）により設定された布切り長さに応じて拡大又は縮小により補正する形状データ補正手段（制御部３０）と、この形状データ補正手段（制御部３０）により補正された穴かがり形状パターンデータに基づいて穴かがり縫い目を形成させる制御手段（制御部３０）と、を備えることを特徴とする。
【００１０】
請求項３に記載の発明によれば、形状パターン設定手段により、形状データ記憶手段に記憶された穴かがり形状パターンデータに基づく穴かがり形状パターンから所望する穴かがり形状パターンを設定し、布切り長さ設定手段により布切りメスにより切り込みが形成される布地の布切り長さを設定すると、形状データ補正手段が形状データ記憶手段に記憶された穴かがり形状パターンデータを、布切り長さ設定手段により設定された布切り長さに応じて拡大又は縮小により補正する。そして、制御手段が形状データ補正手段により補正された穴かがり形状パターンデータに基づいて穴かがり縫い目を形成させる。
これにより、作業者は、布切りメスにより切り込みが形成される布地の布切り長さを設定するだけで、その布切り長さに見合った穴かがり形状パターンデータの細部のデータ項目まで補正することができるので、穴かがり形状パターンデータの補正に際し、穴かがり形状パターンデータの一部を補正するだけで穴かがり形状パターンデータの全てのデータ項目についても補正することができることとなり、作業者の負担を軽減することができる。
【００１１】
請求項４に記載の発明は、請求項３に記載の穴かがりミシン（１）において、前記布切りメス（１１）のサイズを設定するメスサイズ設定手段（サイズ入力ボタンＢ１７）を備え、前記制御手段（制御部３０）は、前記形状データ補正手段（制御部３０）により補正された穴かがり形状パターンデータと前記メスサイズ設定手段（サイズ入力ボタンＢ１７）により設定された前記布切りメス（１１）のサイズとに基づいて穴かがり縫い目を形成させることを特徴とする。
【００１２】
請求項４に記載の発明によれば、制御手段は、形状データ補正手段により補正された穴かがり形状パターンデータとメスサイズ設定手段により設定された布切りメスのサイズとに基づいて穴かがり縫い目を形成させる。
これにより、穴かがり形状パターンデータの布切り長さが布切りメスより長い場合であっても、制御手段は、両データに基づいて穴かがり縫い目を形成させることができる。よって、布切りメスのサイズにとらわれることなく、穴かがり縫い目の形成可能な範囲を広げることができる。
【００１３】
請求項５に記載の発明は、請求項１〜４のいずれか一項に記載の穴かがりミシン（１）において、前記穴かがり形状パターンデータを、外部からの入力に基づいて拡大又は縮小により補正する入力補正手段と、前記形状データ補正手段（制御部３０）と前記入力補正手段のうち、いずれによって前記穴かがり形状パターンデータを拡大又は縮小により補正をするかを選択する選択手段と、を備えることを特徴とする。
【００１４】
請求項５に記載の発明によれば、選択手段により、形状データ補正手段と入力補正手段のうち、いずれによって穴かがり形状パターンデータの補正をするかを選択する。ここで、入力補正手段によって穴かがり形状パターンデータの補正をすることを選択すると、穴かがり形状パターンデータを、外部からの入力に基づいて拡大又は縮小により補正することができる。一方、形状データ補正手段によって穴かがり形状パターンデータの補正をすることを選択すると、穴かがり形状パターンデータの一部を補正するだけで穴かがり形状パターンデータの全てのデータ項目についても補正することができることとなり、作業者の負担を軽減することができる。
これにより、作業者のニーズに合わせた汎用性の高い穴かがりミシンとすることができる。
【発明の効果】
【００１５】
請求項１に記載の発明によれば、作業者は、穴かがり縫い目を形成する縫製領域を設定するだけで、その縫製領域に見合った穴かがり形状パターンデータの細部のデータ項目まで補正することができるので、穴かがり形状パターンデータの補正に際し、穴かがり形状パターンデータの一部を補正するだけで穴かがり形状パターンデータの全てのデータ項目についても補正することができることとなり、作業者の負担を軽減することができる。
【００１６】
請求項２に記載の発明によれば、作業者は、穴かがり縫い目の形成に用いる押えのサイズを設定するだけで、その押えのサイズに見合った穴かがり形状パターンデータの細部のデータ項目まで補正することができるので、穴かがり形状パターンデータの補正に際し、穴かがり形状パターンデータの一部を補正するだけで穴かがり形状パターンデータの全てのデータ項目についても補正することができることとなり、作業者の負担を軽減することができる。
【００１７】
請求項３に記載の発明によれば、作業者は、布切りメスにより切り込みが形成される布地の布切り長さを設定するだけで、その布切り長さに見合った穴かがり形状パターンデータの細部のデータ項目まで補正することができるので、穴かがり形状パターンデータの補正に際し、穴かがり形状パターンデータの一部を補正するだけで穴かがり形状パターンデータの全てのデータ項目についても補正することができることとなり、作業者の負担を軽減することができる。
【００１８】
請求項４に記載の発明によれば、穴かがり形状パターンデータの布切り長さが布切りメスより長い場合であっても、制御手段は、両データに基づいて穴かがり縫い目を形成させることができる。よって、布切りメスのサイズにとらわれることなく、穴かがり縫い目の形成可能な範囲を広げることができる。
【００１９】
請求項５に記載の発明によれば、作業者のニーズに合わせた汎用性の高い穴かがりミシンとすることができる。
【発明を実施するための最良の形態】
【００２０】
以下、図面を参照して、本発明に係る穴かがりミシンの最良の形態について詳細に説明する。
〔実施形態１〕
＜穴かがりミシンの構成＞
穴かがりミシン１は、図１及び図２に示すように、ベッド部２、縦胴部３、アーム部４、縫い針５に昇降及び左右への針振り動作を行わせる針棒駆動機構６、布地を押さえる押えとしての布押え７、布押え７の下側で布を保持した状態で布送り方向（前後方向）に移動する布送り板８、布押え７の上側で上糸を切断する上糸切断装置９、針板１０の下で下糸を切断する下糸切断装置（図示略）、布を切断してボタン穴を形成する布切りメス１１、穴かがり縫い目に関する形状パターンデータ等の各種縫製パラメータの設定を行う操作パネル２０、これら各種装置の駆動を制御する制御手段としての制御部３０等を備えている。
【００２１】
穴かがりミシン１の動作については周知であるため詳しい説明は省略するが、布押え７及び布送り板８で布地を上下から保持した状態で、布送り板８を前後方向に移動させるとともに、針棒駆動機構６により縫い針５を左右に振りながら上下動させることで、布地に形成したボタン穴の周囲に穴かがり縫い目を形成するようになっている。
【００２２】
＜穴かがりミシンの制御系＞
図３に示すように、制御部３０は、穴かがり縫い目の形成にあたって各種処理を行う処理部３１と、複数の穴かがり形状パターンデータを記憶する形状データ記憶手段としてのメモリ３２を備えている。また、メモリ３２は、穴かがり縫い目の形成時に布地を押さえる複数の布押え７のサイズデータを記憶するサイズデータ記憶手段としても機能する。
そして、制御部３０には、穴かがりミシン１を構成する各種装置（針棒駆動機構６、布押え７、布送り板８、下糸切断装置、布切りメス１１等）の駆動源となるアクチュエータ４０（ステッピングモータ、電磁弁、ソレノイド、センサ等）や表示制御回路２０ａを介して操作パネル２０が接続されている。
【００２３】
処理部３１は、メモリ３２に記憶されているプログラムを読み込み、各種縫製パラメータの設定値に従って針落ち位置等を算出し、アクチュエータ４０の動作を制御する。
メモリ３２には、操作パネル２０を介して設定／変更された縫製パラメータの設定値を一時的に記憶するとともに、処理部３１による各種処理作業中にデータを一時的に格納する作業エリア３２ａと、各縫製パラメータの設定値、操作パネル２０を介して設定／変更された穴かがり形状パターンデータ（縫製パラメータ）の設定値に基づいて針落ち位置等を演算するプログラムを格納するプログラムエリア３２ｂと、複数の穴かがり形状パターンデータ、穴かがり縫い目の形成時に布地を押さえる複数の布押え７のサイズデータを格納するデータエリア３２ｃとが形成されている。
【００２４】
操作パネル２０は、タッチパネルとしての機能を有する液晶表示画面を備えている。そして、この液晶表示画面上に、後述する各種設定ボタンが表示されるようになっている。
すなわち、操作パネル２０は、メモリ３２に記憶された穴かがり形状パターンデータに基づく穴かがり形状パターンから所望する穴かがり形状パターンを設定する形状パターン設定手段として機能する。
操作パネル２０は、穴かがり縫い目を形成する縫製領域を設定する縫製領域設定手段として機能する。
操作パネル２０は、穴かがり縫い目の形成に用いる布押え７のサイズを設定する押えサイズ設定手段として機能する。
操作パネル２０は、布切りメス１１により切り込みが形成される布地の布切り長さを設定する布切り長さ設定手段として機能する。
操作パネル２０は、布切りメス１１のサイズを設定するメスサイズ設定手段として機能する。
【００２５】
制御部３０は、メモリ３２に記憶された穴かがり形状パターンデータを、操作パネル２０により設定された縫製領域に応じて拡大又は縮小により補正する形状データ補正手段として機能する。
制御部３０は、メモリ３２に記憶された穴かがり形状パターンデータを、操作パネル２０により設定された押えサイズに応じて拡大又は縮小により補正する形状データ補正手段として機能する。
制御部３０は、メモリ３２に記憶された穴かがり形状パターンデータを、操作パネル２０により設定された布切り長さに応じて拡大又は縮小により補正する形状データ補正手段として機能する。
制御部３０は、補正された穴かがり形状パターンデータと操作パネル２０により設定された布切りメス１１のサイズとに基づいて穴かがり縫い目を形成させる機能も有している。
制御部３０は、上記方法で補正された穴かがり形状パターンデータに基づいて穴かがり縫い目を形成させるように各種装置（針棒駆動機構６、布押え７、布送り板８、下糸切断装置、布切りメス１１等）の駆動源となるアクチュエータ４０（ステッピングモータ、電磁弁、ソレノイド、センサ等）の駆動を制御する制御手段として機能する。
【００２６】
＜穴かがり形状パターンデータの補正方法＞
図４に示すように、作業者の操作により、制御部３０は、操作パネル２０に形状パターン設定画面Ｄ１を表示させる。形状パターン設定画面Ｄ１には、穴かがり縫い目の複数の形状パターン設定ボタンＢ１〜Ｂ８が表示される。具体的には、角型設定ボタンＢ１、丸型設定ボタンＢ２、放射角型設定ボタンＢ３、放射型設定ボタンＢ４、放射直線閂止め型設定ボタンＢ５、放射流れ閂止め型設定ボタンＢ６、鳩目角型設定ボタンＢ７、鳩目放射型設定ボタンＢ８等である。作業者は、形状パターン設定画面Ｄ１を見ながら所望する穴かがり形状パターンを選択する。選択にあたっては、作業者が形状パターン設定画面Ｄ１上に表示された形状パターン設定ボタンＢ１〜Ｂ８のいずれかに触れることによって制御部３０がその選択した穴かがり形状パターンを認識するようになっている。
【００２７】
ここで、作業者が角型設定ボタンＢ１を押すと、制御部３０は、図５に示すように、操作パネル２０に初期データ画面Ｄ２を表示させる。初期データ画面Ｄ２には、角型の穴かがり形状パターンが表示され、その形状パターンの初期データが表示される。また、初期データ画面Ｄ２には、表示された初期データの下方に、穴かがり縫い目を形成する縫製サイズを設定する縫製サイズ設定ボタンＢ１０と、布切りメス１１により切り込みが形成される布地の布切り長さを設定する布切り長さ設定ボタンＢ３０が表示される。作業者は、初期データ画面Ｄ２を見ながら所望する穴かがり縫い目のサイズ変更に用いる方法を選択する。選択にあたっては、作業者が初期データ画面Ｄ２上に表示された縫製サイズ設定ボタンＢ１０と布切り長さ設定ボタンＢ３０のいずれかに触れることによって制御部３０がその選択した穴かがり縫い目のサイズ変更方法を認識するようになっている。
【００２８】
ここで、作業者が、穴かがり縫い目のサイズ変更にあたり、縫製サイズ設定ボタンＢ１０を押して縫製サイズからサイズ変更することを選択した場合と、布切り長さ設定ボタンＢ３０を押して布切り長さからサイズ変更することを選択した場合とに分けて説明する。
【００２９】
（１）縫製サイズから穴かがり縫い目のサイズを変更する場合
作業者により、縫製サイズ設定ボタンＢ１０が押されると、制御部３０は、図６に示すように、操作パネル２０に押え区分を選択する押え区分選択画面Ｄ３を表示させる。押え区分選択画面Ｄ３には、１から５までの番号が付された５つの区分ボタンＢ１１、Ｂ１２、Ｂ１３、Ｂ１４、Ｂ１５が表示されている。
ここで、各押え区分について説明すると、図７に示すように、押え区分「１」を選択した場合には、振り幅が４ｍｍ、縫い長さが２５ｍｍの大きさに合わせて穴かがり縫い目の初期データのサイズ変更がなされる。同様に、押え区分「２」を選択した場合には、振り幅が５ｍｍ、縫い長さが３５ｍｍの大きさに合わせて穴かがり縫い目の初期データのサイズ変更がなされる。また、押え区分「３」を選択した場合には、振り幅が５ｍｍ、縫い長さが４１ｍｍの大きさに合わせて穴かがり縫い目の初期データのサイズ変更がなされ、押え区分「４」を選択した場合には、振り幅が６ｍｍ、縫い長さが７０ｍｍの大きさに合わせて穴かがり縫い目の初期データのサイズ変更がなされる。また、押え区分「５」を選択した場合には、振り幅及び縫い長さともに任意に設定可能であり、作業者によって設定された振り幅及び縫い長さに合わせて穴かがり縫い目の初期データのサイズ変更がなされる。なお、図７に示すデータベースは、予めメモリ３２に格納されている。
【００３０】
すなわち、区分ボタンＢ１１からＢ１４までのいずれかが押された場合には、その押え区分に対応する布押え７の大きさに合わせて初期データのサイズ変更がなされ、区分ボタンＢ１５が押された場合には、作業者が穴かがり縫い目の縫製領域を任意に設定できるようになっている。従って、区分ボタンＢ１１からＢ１４は、穴かがり縫い目の形成に用いる布押え７のサイズを設定する押えサイズ設定手段として機能し、区分ボタンＢ１５は、穴かがり縫い目を形成する縫製領域を設定する縫製領域設定手段として機能する。
【００３１】
ここで、穴かがり縫い目のサイズ変更にあたり、布押え７から変更する場合と作業者が任意に縫製領域を設定して変更する場合とに分けて説明する。
i）布押えを選択してサイズ変更する場合
作業者により、区分ボタンＢ１２が押された場合、制御部３０は、図８に示すように、操作パネル２０に選択した押え区分に基づく布押え７のサイズが表された布押え表示画面Ｄ４を表示させる。布押え７のサイズは、振り幅Ｗと、縫い長さＬが表示される。ここで、作業者は選択した押え区分が正しいか否かを判断することができ、正しければ、布押え表示画面Ｄ４に表示されている決定ボタンＢ１６を押す。決定ボタンＢ１６が押されると、制御部３０は、メモリ３２のプログラムエリア３２ｂに格納されている穴かがり形状パターンデータの補正プログラムを実行することにより、穴かがり縫い目の初期データを選択された布押え７のサイズに応じて拡大又は縮小により補正する。
穴かがり縫い目の初期データの補正では、図９に示すように、穴かがり縫い目における各部の寸法が振り幅Ｗ又は縫い長さＬに対する比率で事前に設定されているため、選択された布押え７の振り幅Ｗ又は縫い長さＬから各部の寸法を算出することができる。
【００３２】
このような方法により、穴かがり縫い目の初期データが補正されると、図１０に示すように、補正データを表示する補正データ表示画面Ｄ５が操作パネル２０に表示される。
具体的には、図９に示すように、縫い長さＬと布切り長さＳ０２との関係は、布切り長さＬが縫い長さＬの６／１０であるため、図８で縫い長さＬが３５．００ｍｍの場合には、初期データ補正後の布切り長さＳ０２は、３５．００×６／１０＝２１．００ｍｍとなり、この値が、図１０に示すように、補正データとして補正データ表示画面Ｄ５に表示される。
【００３３】
ii）作業者が縫製領域を設定してサイズ変更する場合
作業者により、区分ボタンＢ１５が押された場合、制御部３０は、図１１に示すように、操作パネル２０に穴かがり縫い目の振り幅Ｗと縫い長さＬを入力させるサイズ入力画面Ｄ６を表示させる。ここで、作業者は、サイズ入力ボタンＢ１７を押すことにより所望するサイズを入力し、決定ボタンＢ１８を押すことにより、穴かがり縫い目の縫製領域が確定する。決定ボタンＢ１８が押されると、制御部３０は、メモリ３２のプログラムエリア３２ｂに格納されている穴かがり形状パターンデータの補正プログラムを実行することにより、穴かがり縫い目の初期データをサイズ入力ボタンＢ１７により入力された縫製領域に応じて拡大又は縮小により補正する。
【００３４】
このような方法により、穴かがり縫い目の初期データが補正され、図１２に示すように、補正データを表示する補正データ表示画面Ｄ７が操作パネル２０に表示される。
具体的には、図９に示すように、縫い長さＬと布切り長さＳ０２との関係は、布切り長さＬが縫い長さＬの６／１０であるため、図１１で縫い長さＬに５０．００ｍｍを入力した場合には、初期データ補正後の布切り長さＳ０２は、５０．００×６／１０＝３０．００ｍｍとなり、この値が、図１２に示すように、補正データとして補正データ表示画面Ｄ７に表示される。
【００３５】
（２）布切り長さから穴かがり縫い目のサイズを変更する場合
図５において、作業者により、布切り設定ボタンＢ３０が押されると、制御部３０は、図１３に示すように、操作パネル２０に布切りメス１１のサイズと布切り長さを入力させる布切り設定画面Ｄ８を表示させる。ここで、作業者は、サイズ入力ボタンＢ２０を押すことにより所望する布切りメス１１のサイズと布切り長さを入力し、決定ボタンＢ２１を押すことにより、布切りに関する条件が確定する。決定ボタンＢ２１が押されると、制御部３０は、メモリ３２のプログラムエリア３２ｂに格納されている穴かがり形状パターンデータの補正プログラムを実行することにより、穴かがり縫い目の初期データをサイズ入力ボタンＢ２０により入力された布切りメス１１のサイズと布切り長さに応じて拡大又は縮小により補正する。
【００３６】
このような方法により、穴かがり縫い目の初期データが補正され、図１４に示すように、補正データを表示する補正データ表示画面Ｄ９が操作パネル２０に表示される。
具体的には、図９に示すように、縫い長さＬと布切り長さＳ０２との関係は、布切り長さが縫い長さＬの６／１０であるため、図１３で布切り長さが３０．００ｍｍの場合には、図９におけるＳ０９が３０．００ｍｍであるため、初期データ補正後の縫い長さＬは、３０．００×１０／６＝５０．００ｍｍとなり、この算出された縫い長さＬに基づいて各部の寸法が算出される。例えば、初期データ補正後の第１閂止め長さＳ０９は、５０．００×１／１０＝５．００ｍｍとなり、この値が、図１４に示すように、補正データとして補正データ表示画面Ｄ９に表示される。
【００３７】
＜他の穴かがり形状パターンデータにおける補正方法＞
次に、図４において、穴かがり形状パターンとして、鳩目角型設定ボタンＢ７により鳩目角型を選択した場合の例について説明する。なお、途中の補正方法の設定動作は、上記の角型設定ボタンＢ１を押したときと同様であるため、省略する。また、鳩目角型の穴かがり縫い目においても、初期データの補正では、図１５に示すように、穴かがり縫い目における各部の寸法が振り幅Ｗ又は縫い長さＬに対する比率で事前に設定されているため、設定された縫製領域の振り幅Ｗ又は縫い長さＬから各部の寸法を算出することができるようになっている。
作業者が操作パネル２０上に表示された鳩目角型設定ボタンＢ７を押し、縫製サイズ設定ボタンＢ１０を押して縫製サイズからサイズ変更することを選択し、さらに、区分ボタンＢ１５が押されて押え区分「５」が選択された場合、制御部３０は、図１６に示すように、操作パネル２０に穴かがり縫い目の振り幅Ｗと縫い長さＬを入力させるサイズ入力画面Ｄ１１を表示させる。ここで、作業者は、サイズ入力ボタンＢ３１を押すことにより所望するサイズを入力し、決定ボタンＢ３２を押すことにより、穴かがり縫い目の縫製領域が確定する。決定ボタンＢ３２が押されると、制御部３０は、メモリ３２のプログラムエリア３２ｂに格納されている穴かがり形状パターンデータの補正プログラムを実行することにより、穴かがり縫い目の初期データをサイズ入力ボタンＢ３２により入力された縫製領域に応じて拡大又は縮小により補正する。
【００３８】
このような方法により、穴かがり縫い目の初期データが補正され、図１７に示すように、補正データを表示する補正データ表示画面Ｄ１２が操作パネル２０に表示される。
具体的には、図１７に示すように、縫い長さＬと布切り長さＳ０２との関係は、布切り長さＬが縫い長さＬの１／２であるため、図１６で縫い長さＬに１０．００ｍｍを入力した場合には、初期データ補正後の布切り長さＳ０２は、１０．００×１／２＝５．００ｍｍとなり、この値が、図１７に示すように、補正データとして補正データ表示画面Ｄ１２として表示される。
【００３９】
＜実施形態１の作用効果＞
実施形態１における穴かがりミシン１によれば、操作パネル２０に表示された穴かがり形状パターン設定ボタンＢ１〜Ｂ８により、メモリ３２に記憶された穴かがり形状パターンデータに基づく穴かがり形状パターンから所望する穴かがり形状パターンを設定し、区分ボタンＢ１５により穴かがり縫い目を形成する縫製領域を設定すると、制御部３０がメモリ３２に格納された穴かがり形状パターンデータの補正プログラムを実行することにより、メモリ３２に予め格納された穴かがり形状パターンデータの初期データを、区分ボタンＢ１５により設定された縫製領域に応じて拡大又は縮小により補正する。そして、制御部３０が穴かがりミシン１の各部の動作制御を行い、補正された穴かがり形状パターンデータに基づいて穴かがり縫い目を形成させる。
これにより、作業者は、穴かがり縫い目を形成する縫製領域を設定するだけで、その縫製領域に見合った穴かがり形状パターンデータの細部のデータ項目まで補正することができるので、穴かがり形状パターンデータの補正に際し、穴かがり形状パターンデータの一部を補正するだけで穴かがり形状パターンデータの全てのデータ項目についても補正することができることとなり、作業者の負担を軽減することができる。
【００４０】
また、操作パネル２０に表示された穴かがり形状パターン設定ボタンＢ１〜Ｂ８により、メモリ３２に記憶された穴かがり形状パターンデータに基づく穴かがり形状パターンから所望する穴かがり形状パターンを設定し、区分ボタンＢ１１〜Ｂ１４により穴かがり縫い目の形成に用いる布押え７のサイズを設定すると、制御部３０がメモリ３２に格納された穴かがり形状パターンデータの補正プログラムを実行することにより、メモリ３２に予め格納された穴かがり形状パターンデータの初期データを、区分ボタンＢ１１〜Ｂ１４により設定された布押え７のサイズに応じて拡大又は縮小により補正する。そして、制御部３０が穴かがりミシン１の各部の動作制御を行い、補正された穴かがり形状パターンデータに基づいて穴かがり縫い目を形成させる。
これにより、作業者は、穴かがり縫い目の形成に用いる布押え７のサイズを設定するだけで、その布押え７のサイズに見合った穴かがり形状パターンデータの細部のデータ項目まで補正することができるので、穴かがり形状パターンデータの補正に際し、穴かがり形状パターンデータの一部を補正するだけで穴かがり形状パターンデータの全てのデータ項目についても補正することができることとなり、作業者の負担を軽減することができる。
【００４１】
また、操作パネル２０に表示された穴かがり形状パターン設定ボタンＢ１〜Ｂ８により、メモリ３２に記憶された穴かがり形状パターンデータに基づく穴かがり形状パターンから所望する穴かがり形状パターンを設定し、サイズ入力ボタンＢ２０により布切りメス１１のサイズ及び布切りメス１１により切り込みが形成される布地の布切り長さを設定すると、制御部３０がメモリ３２に格納された穴かがり形状パターンデータの補正プログラムを実行することにより、メモリ３２に予め格納された穴かがり形状パターンデータの初期データを、サイズ入力ボタンＢ２０により設定された布切りメス１１のサイズ及び布切り長さに応じて拡大又は縮小により補正する。そして、制御部３０が穴かがりミシン１の各部の動作制御を行い、補正された穴かがり形状パターンデータに基づいて穴かがり縫い目を形成させる。
これにより、作業者は、布切りメス１１のサイズ及び布切りメス１１により切り込みが形成される布地の布切り長さを設定するだけで、その布切り長さに見合った穴かがり形状パターンデータの細部のデータ項目まで補正することができるので、穴かがり形状パターンデータの補正に際し、穴かがり形状パターンデータの一部を補正するだけで穴かがり形状パターンデータの全てのデータ項目についても補正することができることとなり、作業者の負担を軽減することができる。
【００４２】
また、制御部３０は、穴かがり形状パターンデータの布切り長さが布切りメス１１のサイズより長い場合であっても、両データに基づいて穴かがり縫い目を形成させることができる。よって、布切りメス１１のサイズにとらわれることなく、穴かがり縫い目の形成可能な範囲を広げることができる。
【００４３】
〔実施形態２〕
次に、本発明の穴かがりミシンにおける実施形態２について説明する。実施形態２の穴かがりミシンが実施形態１の穴かがりミシンと異なる点は、メモリ３２のデータエリア３２ｃに記憶された縫製データテーブル３２０に基づいて穴かがり縫い目の各サイズを補正するものであるため、縫製データテーブル３２０とその補正方法について説明し、その他同様の構成部分には同一符号を付して説明を省略する。
図１８に示すように、データエリア３２ｃに記憶された縫製データテーブル３２０は、上述した５種類の押え区分と８種類の穴かがり形状パターンの組み合わせ（全部で４０種類）に対してそれぞれ穴かがり縫い目の各部のサイズが設定されている。
【００４４】
＜初期データの補正方法＞
作業者により、図４に示す形状パターン設定画面Ｄ１で穴かがり縫い目の形状パターンが設定され、続いて図６に示す押え区分選択画面Ｄ３で押え区分が設定されると、制御部３０は、データエリア３２ｃに記憶された縫製データテーブル３２０を読み込み、設定された穴かがり縫い目の形状パターンと押え区分に対応するサイズとなるように穴かがり形状パターンデータの初期データを補正する。
具体的には、押え区分が「１」、穴かがり形状パターンが「角型」で設定されると、制御部３０は、布切り長さＳ０２が１２．７ｍｍ、メス溝右幅Ｓ０３が０．１ｍｍ、メス溝左幅Ｓ０４が０．１ｍｍ、かがり幅Ｓ０５が１．７ｍｍ、第二閂止め長さＳ０８が１ｍｍ、第一閂止め長さＳ０９が１ｍｍ、第一すきまＳ２２が１．３ｍｍ、第二すきまＳ２３が１．５ｍｍとなるように穴かがり形状パターンデータの初期データを補正する。
【００４５】
＜実施形態２の作用効果＞
実施形態２における穴かがりミシンによれば、実施形態１の作用効果を得られるのは勿論のこと、制御部３０は、データエリア３２ｃに記憶された縫製データテーブル３２０を読み込むだけでよく、実施形態１のように初期データを補正するためのプログラムを用意する必要がない。また、プログラムにより演算する必要もないので、制御部３０の負担を軽減できる。
【００４６】
〔実施形態３〕
次に、本発明の穴かがりミシンにおける実施形態３について説明する。実施形態３の穴かがりミシンが実施形態１の穴かがりミシンと異なる点は、メモリ３２のデータエリア３２ｃに記憶された布切り長さデータテーブル３２１に基づいて穴かがり縫い目の布切り長さを補正し、メス溝幅データテーブル３２２に基づいて穴かがり縫い目の左右のメス溝幅を補正し、かがり幅データテーブル３２３に基づいて穴かがり縫い目のかがり幅を補正するものであるため、布切り長さデータテーブル３２１、メス溝幅データテーブル３２２、かがり幅データテーブル３２３とその補正方法について説明し、その他同様の構成部分には同一符号を付して説明を省略する。
図１９に示すように、データエリア３２ｃに記憶された布切り長さデータテーブル３２１は、作業者によって入力された振り幅Ｗと縫い長さＬの組み合わせに対してそれぞれ穴かがり縫い目の布切り長さが設定されている。
図２０に示すように、データエリア３２ｃに記憶されたメス溝幅データテーブル３２２は、作業者によって入力された振り幅Ｗと縫い長さＬの組み合わせに対してそれぞれ穴かがり縫い目の左右のメス溝幅が設定されている。
図２１に示すように、データエリア３２ｃに記憶されたかがり幅データテーブル３２３は、作業者によって入力された振り幅Ｗと縫い長さＬの組み合わせに対してそれぞれ穴かがり縫い目のかがり幅が設定されている。
【００４７】
＜初期データの補正方法＞
作業者により、図１１に示すサイズ入力画面Ｄ６で穴かがり縫い目の振り幅Ｗと縫い長さＬが入力されると、制御部３０は、データエリア３２ｃに記憶された布切り長さデータテーブル３２１を読み込み、設定された穴かがり縫い目の振り幅Ｗと縫い長さＬに対応するサイズとなるように穴かがり形状パターンデータの初期データの布切り長さを補正する。
また、布切り長さの補正と並行して、制御部３０は、データエリア３２ｃに記憶されたメス溝幅データテーブル３２２を読み込み、設定された穴かがり縫い目の振り幅Ｗと縫い長さＬに対応するサイズとなるように穴かがり形状パターンデータの初期データの左右のメス溝幅を補正する。
また、布切り長さ及びメス溝幅の補正と並行して、制御部３０は、データエリア３２ｃに記憶されたかがり幅データテーブル３２３を読み込み、設定された穴かがり縫い目の振り幅Ｗと縫い長さＬに対応するサイズとなるように穴かがり形状パターンデータの初期データのかがり幅を補正する。
具体的には、振り幅Ｗが３．５ｍｍ、縫い長さＬが３０ｍｍで入力されると、制御部３０は、布切り長さＳ０２が１２．７ｍｍ、左右のメス溝幅Ｓ０３及びＳ０４が０．１ｍｍ、かがり幅Ｓ０５が１．４ｍｍとなるように穴かがり形状パターンデータの初期データを補正する。
【００４８】
＜実施形態３の作用効果＞
実施形態３における穴かがりミシンによれば、実施形態１の作用効果を得られるのは勿論のこと、制御部３０は、データエリア３２ｃに記憶された各データテーブル３２１，３２２，３２３を読み込むだけでよく、実施形態１のように初期データを補正するためのプログラムを用意する必要がない。また、プログラムにより演算する必要もないので、制御部３０の負担を軽減できる。また、実施形態２に比べてデータテーブルを細分化することが容易であるため、多種多様な穴かがり縫い目を形成することができる。
【００４９】
なお、本発明は上記実施形態に限定されるものではない。例えば、布押え７及び布切りメス１１のサイズはその値を直接入力してもよいし、予め設定された記号等を入力するように構成してもよい。また、布押え７のサイズや布切りメス１１のサイズを穴かがりミシン１が自動的に判別する機能を有するようにしてもよい。
また、穴かがり形状パターンデータを外部からの逐次入力により補正する入力補正手段としての入力補正モードを設け、上記のように穴かがり形状パターンデータの補正プログラムによって初期データを補正する簡易補正モードと入力補正モードとを操作パネル２０上で選択できるように選択ボタン（図示略）を表示させてもよい。これにより、操作パネル２０上で、選択ボタンにより、簡易補正モードと入力補正モードのうち、いずれによって穴かがり形状パターンデータの補正をするかを選択する。ここで、入力補正モードによって穴かがり形状パターンデータの補正をすることを選択すると、穴かがり形状パターンデータを外部から逐次入力することにより穴かがり形状パターンデータを補正することができる。一方、簡易補正モードによって穴かがり形状パターンデータの補正をすることを選択すると、一部の穴かがり形状パターンデータを補正するだけで他の全ての穴かがり形状パターンデータについても補正することができる。よって、作業者のニーズに合わせた汎用性の高い穴かがりミシンとすることができる。
【図面の簡単な説明】
【００５０】
【図１】穴かがりミシンの斜視図である。
【図２】穴かがりミシンの斜視図である。
【図３】穴かがりミシンの構造を示すブロック図である。
【図４】穴かがり形状パターン設定画面の表示例である。
【図５】初期データ画面の表示例である。
【図６】押え区分選択画面の表示例である。
【図７】押え区分と振り幅及び縫い長さとの対応関係を示す図である。
【図８】布押え表示画面の表示例である。
【図９】穴かがり縫い目の各部の長さにおける振り幅又は縫い長さに対する比率を示す図である。
【図１０】補正データ表示画面の表示例である。
【図１１】サイズ入力画面の表示例である。
【図１２】補正データ表示画面の表示例である。
【図１３】布切り設定画面の表示例である。
【図１４】補正データ表示画面の表示例である。
【図１５】穴かがり縫い目の各部の長さにおける振り幅又は縫い長さに対する比率を示す図である。
【図１６】サイズ入力画面の表示例である。
【図１７】補正データ表示画面の表示例である。
【図１８】縫製データテーブルである。
【図１９】布切り長さデータテーブルである。
【図２０】メス溝幅データテーブルである。
【図２１】かがり幅データテーブルである。
【符号の説明】
【００５１】
１  穴かがりミシン
２０  操作パネル（形状パターン設定手段、押えサイズ設定手段、縫製領域設定手段、布切り長さ設定手段、メスサイズ設定手段）
３０  制御部（形状データ補正手段、制御手段）
３２  メモリ（形状データ記憶手段、サイズデータ記憶手段）
Ｂ１  角型設定ボタン（形状パターン設定手段）
Ｂ２  丸型設定ボタン（形状パターン設定手段）
Ｂ３  放射角型設定ボタン（形状パターン設定手段）
Ｂ４  放射型設定ボタン（形状パターン設定手段）
Ｂ５  放射直線閂止め型設定ボタン（形状パターン設定手段）
Ｂ６  放射流れ閂止め型設定ボタン（形状パターン設定手段）
Ｂ７  鳩目角型設定ボタン（形状パターン設定手段）
Ｂ８  鳩目放射型設定ボタン（形状パターン設定手段）
Ｂ１１，Ｂ１２，Ｂ１３，Ｂ１４  区分ボタン（押えサイズ設定手段）
Ｂ１５  区分ボタン（縫製領域設定手段）
Ｂ１７  サイズ入力ボタン（布切り長さ設定手段、メスサイズ設定手段）
【図１】
2006109921.tif 000003
【図２】
2006109921.tif 000004
【図３】
2006109921.tif 000005
【図４】
2006109921.tif 000006
【図５】
2006109921.tif 000007
【図６】
2006109921.tif 000008
【図７】
2006109921.tif 000009
【図８】
2006109921.tif 000010
【図９】
2006109921.tif 000011
【図１０】
2006109921.tif 000012
【図１１】
2006109921.tif 000013
【図１２】
2006109921.tif 000014
【図１３】
2006109921.tif 000015
【図１４】
2006109921.tif 000016
【図１５】
2006109921.tif 000017
【図１６】
2006109921.tif 000018
【図１７】
2006109921.tif 000019
【図１８】
2006109921.tif 000020
【図１９】
2006109921.tif 000021
【図２０】
2006109921.tif 000022
【図２１】
2006109921.tif 000023